(57)【要約】【課題】いか釣漁業に使用するいか釣針における擬餌体を改善していかの誘致作用を効率よく行いその釣獲効率を向上する。【解決手段】倒傘状の釣針７・７を装着したいか釣針のコイルスプリングからなる軸部材１に、ナイロン等の合成樹脂、金属等の糸条３からなる有底円筒状のブラシ４を装着して、いか釣時のシャクリ操作時における水流、水圧を利用してブラシ４の開口部を内外に拡開揺動するようにして、生き餌の動きのように見せかけいかの誘致作用を確実にする。【選択図】        図１
2004290077.tif 000002
【特許請求の範囲】
【請求項１】
釣針を設けた軸部材にその周囲を囲繞するように糸条を断面略環状に植設したブラシを装着したことを特徴とするいか釣針。
【請求項２】
ブラシを有底円筒状に形成したことを特徴とする請求項１記載のいか釣針。
【請求項３】
ブラシを釣針の周囲に設けて釣針を隠蔽したことを特徴とする請求項１又は２何れか記載のいか釣針。
【請求項４】
互に開口部が反対の方向の一対のブラシを軸部材に装着したことを特徴とする請求項１又は３何れか記載のいか釣針。
【発明の詳細な説明】
【０００１】
【発明の属する技術分野】
本発明はいか釣漁業に使用するいか釣針の改良に関する。
【０００２】
【従来の技術】
従来のいか釣漁業は古くから合成樹脂、金属、動物の骨角等からなる擬餌体の下部に１乃至複数の倒傘状の釣針を装着したいか釣針を釣糸で多数直列状に連結し、擬餌体によっていかを誘導して倒傘状の釣針で釣獲しているのが現状である。
【０００３】
【発明が解決しようとする課題】
しかしながらこのような擬餌体の色調、輝度だけに頼っている従来の方式ではいかの誘致作用を効率よく行うことが充分ではないと共に擬餌体によっていか釣針が大型又は重量化し取扱いが面倒である等の欠陥がある。
【０００４】
これらの現状に鑑み、本発明はいか釣針における擬餌部を改善して、その水中におけるいかの誘致機能を能率よく行って釣獲能率の向上を図ると共にいか釣針自体の軽量コンパクト化を可能にするようにしたいか釣針を提供することを目的とするものである。
【０００５】
【課題を解決するための手段】
本発明は前記目的を達成するために、釣針を設けた軸部材にその周囲を囲繞するように糸条を断面略環状に植設したブラシを装着したことを特徴とするものであり、ブラシの内外に作用する海中の水流水圧によってブラシの口縁部が拡開揺動する動的動きが恰も生き餌のような形態を現出して従来の誘致作用を更に一層促進してその釣獲効率を向上するようにしたものである。
【０００６】
しかして前記ブラシは有底の円筒状、楕円状、円錐状等に形成して軸部材に装着するのが好適であり、特にブラシを釣針の外側に装着して釣針を隠蔽し釣針を露出せしめないようにするといかに警戒感を与えないと共にいか釣針の長大化を防止して漁具の小型軽量化を図ることができる。
【０００７】
また一対の円筒状ブラシの開口部を対向又は反対方向に向けて軸部材に装着するときは、シャクリ操作によって一対のブラシの開口部は交互に水流、水圧によって内外方に拡開揺動して一層誘致機能を向上することができ、更にブラシを形成する糸条としては、ナイロン、ＰＶＣ、ＰＰ等の合成樹脂、ピアノ線等の金属線等の径０．２ｍｍ〜０．５ｍｍ、長さ３ｍｍ〜１５０ｍｍの所要の屈撓性のあるものをいかの種類、漁況等の状況に合せてそのまま又は適宜色調に染色して使用するものである。
【０００８】
なお本発明における対象とするいかの種類は主としてあかいか、そでいか、とびいか、やりいか、するめいか、まいか等が考えられ、特にあかいか、そでいか等の大型のいかの場合においては釣針を複数設けるのが好ましい。
【０００９】
【発明の実施の形態】
本発明の実施の形態を図面の実施例について説明すると、コイルスプリングからなる軸部材１の上端に設けた取付リング１′には釣糸２が連結されており、該コイルスプリングの軸部材１の外側にはナイロンその他の糸条３・・を環状取付板３′に植設した環状断面のブラシ４が挟着円板４′・４′によって嵌合支持されると共に該挟着円板４′・４′の上下部にはカラー筒５・５及び擬餌体６が夫々嵌合装着され、前記下部のカラー筒５の下部における軸部材１には倒傘状の釣針７・７が装着されており、さらに上部カラー５の上部には固定筒８が、軸部材１の下部取付リングには釣針７の脱落防止リング９が夫々設けられている。
【００１０】
本発明の実施例は上記のように構成されているので、このいか釣針を釣糸２で直列に適数個連結して海中に沈下してシャクリ操作等の釣作業を行うと、いか釣針の沈降時にはブラシ４の糸条３・・の上方開口部部分は水流、水圧で縮小揺動し、また釣糸の上昇時にはブラシ４の内底部の挟着円板４′に作用する水圧で開口部は外方に拡開揺動して恰も生きた餌のように動揺していかを誘致するものである。
【００１１】
図３に示す実施例は、ブラシ４を釣針７の周囲に位置するように軸部材であるコイルスプリング１に装着したものであり、このようにすると釣針７を隠蔽することができ、いかの警戒感を解消していかの誘集作用を一層効率よく行うことができると共にいか釣針の長さも短縮できる。
【００１２】
図４に示す実施例は、釣針７・７の周囲に位置するように設けたブラシ４・４をその開口部が対向するように装着したものであり、いか釣針を上方にシャクリ上げるときは下部のブラシ４の口縁部が水圧で外方に拡開し、下方に沈下するときは上部ブラシ４の口縁部が外方に拡開して交互に揺動作用を行い誘集作用をより効率化したものであり、この場合もいか釣針の長さも短縮化と軽量化を図ることができる。
【００１３】
なお前記実施例においてブラシ４は複数設けることも、また一部又は複数の釣針７の外側に設けることも可能であり、更に前記軸部材１を屈撓かつ伸縮性のあるコイルスプリングで形成するときはいか釣針の捲上げドラム及び案内ローラーに対する馴致性が向上し捲上げ作用並びに案内作用時におけるいかの傘状釣針からの脱落を防止すると同時にいか釣針同士による纒絡を防止することができる。
【００１４】
【発明の効果】
本発明はいか釣針の軸部材に糸条を断面略環状に植設したブラシを装着していか釣時のシャクリ操作による水流、水圧を利用してブラシの開口部を内外に拡開揺動せしめて生き餌のように動的に変動するようにしたので、従来の単なる色調、輝度によるだけの誘致作用に比しいかの誘致機能を一層効率よく行い釣獲効率を向上でき、いか釣漁業の省力化を図ることができる。
【００１５】
また本発明はブラシを釣針の周囲に設けたときには、いか釣針の短縮化と同時に釣針の隠蔽も可能となり一層誘集作用の効率化を図ることができる。
【００１６】
更に本発明の一対のブラシの開口部を反対向きに形成して装着したときには、シャクリ操作の上下動作の夫々を対応して一対のブラシの開口部を同時かつ交互に内外に揺動して変動作用の効率よく行い、一層擬餌誘集効果を発揮することができる。
【図面の簡単な説明】
【図１】本発明の一部切欠正面図。
【図２】本発明要部の縦断正面図。
【図３】本発明の第２実施例の一部切欠正面図。
【図４】本発明の更に他の実施例の一部切欠正面図。
【符号の説明】
１    軸部材
３    糸条
４    ブラシ
７    釣針
【図１】
2004290077.tif 000003
【図２】
2004290077.tif 000004
【図３】
2004290077.tif 000005
【図４】
2004290077.tif 000006